(57)【特許請求の範囲】
【請求項１】
容器の容器口部と、この容器口部に脱着可能に装着されたキャップとを備えるキャップの脱着構造であって、
前記容器口部は、容器ねじ部の軸方向下側で拡径された環状のビード部を有し、
前記キャップは、前記容器ねじ部に螺合するキャップねじ部が内側に設けられたキャップ本体と、このキャップ本体の端縁に破断可能なブリッジを介して連結され、前記容器口部のビード部に係止する係止部が内側に設けられたタンパーエビデンスバンドとを有し、
前記キャップが前記容器口部に装着された状態からの開栓操作によって、前記係止部が前記ビード部に係止されて前記ブリッジが破断され、前記キャップ本体と前記タンパーエビデンスバンドとが互いに分離されるキャップの脱着構造において、
前記タンパーエビデンスバンドの係止部は、周方向に向かって連続状に形成されていると共に内方へ突出する複数の内突部を有しており、
前記容器口部のビード部には、開栓操作の際に前記複数の内突部のうち少なくとも１つの内突部が当接することによって、前記係止部の係止を一部解除させ、前記タンパーエビデンスバンドの一部分を前記ビード部の軸方向上側へ誘導する誘導部が設けられていることを特徴とするキャップの脱着構造。
【請求項２】
前記誘導部は、前記ビード部における前記係止部が係止される係止面から軸方向下側へ向かって突出する突起部材よりなることを特徴とする請求項１に記載のキャップの脱着構造。
【請求項３】
前記突起部材は、周方向に沿って形成された突起体と、閉栓操作の際に当該突起体を前記係止部の内突部に乗り越えさせる案内部と、を有することを特徴とする請求項２に記載のキャップの脱着構造。
【請求項４】
前記案内部は、内側から外側に向かうに従って閉栓方向へ傾斜する傾斜面を有していることを特徴とする請求項３に記載のキャップの脱着構造。
【請求項５】
前記突起体における前記内突部が当接する側の端部は、周方向に対して略直交する平面状に形成されていることを特徴とする請求項３又は４に記載のキャップの脱着構造。
【請求項６】
前記突起体の周方向寸法が、前記係止部の内突部の周方向寸法よりも小さいことを特徴とする請求項３〜５のいずれかに記載のキャップの脱着構造。
【請求項７】
前記突起部材は、前記タンパーエビデンスバンドの一部分を前記ビード部の軸方向上側へ誘導可能な周方向小範囲に複数設けられていることを特徴とする請求項２〜６のいずれかに記載のキャップの着脱構造。
【請求項８】
前記係止部の内突部が内方へ向けて断面くの字状に折り込まれるように形成されて、当該係止部が周方向に連続した蛇腹状に構成されていることを特徴とする請求項１〜７のいずれかに記載のキャップの脱着構造。
【発明の詳細な説明】
【技術分野】
【０００１】
本発明は、飲料物等の内容物を収容する容器に脱着可能に装着されたキャップの脱着構造に関する。
【背景技術】
【０００２】
飲料物等の内容物を収容する容器に装着されるキャップとして、開栓の有無を確認できるものが広く用いられている。このようなキャップの脱着構造として、雄ねじ部の軸方向下側で拡径された環状のビード部を有する容器口部と、雌ねじ部が内側に形成されたキャップ本体及びこのキャップ本体にブリッジを介して連結されたタンパーエビデンスバンドを有するキャップと、を備えたものが知られている。
【０００３】
上記の脱着構造は、容器口部に装着された状態からの開栓操作によって、タンパーエビデンスバンドの係止部が容器口部のビード部に係止されることで、ブリッジに対し力が作用し当該ブリッジが破断され、キャップ本体とタンパーエビデンスバンドとが互いに分離されるものであり、開栓操作が行われたか否かを視認により容易に確認することができる。
【０００４】
この脱着構造には、開栓の後、タンパーエビデンスバンドを容器口部から取り外せる方式の構造と、取り外さずにそのまま残す方式の構造がある。このうち、タンパーエビデンスバンドを容器口部から取り外せる方式のものとして、次の特許文献１及び特許文献２に記載された構造がある。特許文献１には、タンパーエビデンスバンドにスプリットを形成することで、タンパーエビデンスバンドと本体部とが分離されるだけでなく、タンパーエビデンスバンドを容器口部から取り外せるようにした構造が記載されている。特許文献２には、タンパーエビデンスバンドの２本のスリット間にバンド部分を形成して、開栓の際にこのバンド部分を引き倒して、その両側の細い連結部を引きちぎることで、タンパーエビデンスバンドを容器口部から取り外せるようにした構造が記載されている。
【０００５】
一方、タンパーエビデンスバンドを容器口部に残す方式のものとして、次の特許文献３及び特許文献４に記載された構造がある。特許文献３には、容器口部のビード部の下部にサイドストッパーを形成し、開栓の際にタンパーエビデンスバンドの係止部を当該サイドストッパーに当接させて、タンパーエビデンスバンドの共回りを阻止することで、小さな回転角度でブリッジを破断させる構造が記載されている。特許文献４には、容器口部のビード部の下部に、タンパーエビデンスバンドの係止部に当接する押下部を形成し、開栓の際に当該押下部に当該係止部を押し下げさせることで、タンパーエビデンスバンドを押し下げ、小さな回転角度でブリッジを破断させる構造が記載されている。
【先行技術文献】
【特許文献】
【０００６】
【特許文献１】特開昭６１−２１３５５号公報
【特許文献２】特開２００２−８７４５２号公報
【特許文献３】特開平９−２４０７０８号公報
【特許文献４】国際公開第９７／１８１３９号パンフレット
【発明の概要】
【発明が解決しようとする課題】
【０００７】
しかしながら、特許文献１では、タンパーエビデンスバンドを容器口部から取り外すことはできても、開栓の後、キャップを再装着するとき、連結されたままとなっているタンパーエビデンスバンドが邪魔となって閉栓し難い。特許文献２では、タンパーエビデンスバンドを容器口部から取り外すために、バンド部分を持って連結部を引きちぎった際、比較的小さな部材である当該バンド部分がタンパーエビデンスバンドから分離される場合も起こりうる。そのため、容器とは別に分別する部材の数が多くなり、しかも小さい部材が含まれているため、効率的に分別回収できない場合がある。
【０００８】
特許文献３では、タンパーエビデンスバンドの回転が阻止され、特許文献４では、タンパーエビデンスバンドの回転が阻止され、さらに当該タンパーエビデンスバンドが押し下げられるが、いずれの場合においても、キャップ本体から切り離されたタンパーエビデンスバンドはビード部の下側に残ってしまい、当該タンパーエビデンスバンドを容器口部から取り外し難いという問題がある。
【０００９】
そこで本発明は、上記従来技術の問題点に鑑み、キャップを再装着するときにタンパーエビデンスバンドが邪魔にならず、それと共にタンパーエビデンスバンドを容器口部から簡単に取り外すことができ、かつ当該タンパーエビデンスバンドを分別回収し易いキャップの脱着構造を提供することを目的とする。
【課題を解決するための手段】
【００１０】
上記目的を達成するため、次の技術的手段を講じた。
即ち、本発明のキャップの脱着構造は、容器の容器口部と、この容器口部に脱着可能に装着されたキャップとを備えるキャップの脱着構造であって、前記容器口部は、容器ねじ部の軸方向下側で拡径された環状のビード部を有し、前記キャップは、前記容器ねじ部に螺合するキャップねじ部が内側に設けられたキャップ本体と、このキャップ本体の端縁に破断可能なブリッジを介して連結され、前記容器口部のビード部に係止する係止部が内側に設けられたタンパーエビデンスバンドとを有し、前記キャップが前記容器口部に装着された状態からの開栓操作によって前記係止部が前記ビード部に係止されて前記ブリッジが破断され、前記キャップ本体と前記タンパーエビデンスバンドとが互いに分離されるキャップの脱着構造において、前記タンパーエビデンスバンドの係止部は、周方向に向かって連続状に形成されていると共に内方へ突出する複数の内突部を有しており、前記容器口部のビード部には、開栓操作の際に前記複数の内突部のうち少なくとも１つの内突部が当接することによって、前記係止部の係止を一部解除させ、前記タンパーエビデンスバンドの一部分を前記ビード部の軸方向上側へ誘導する誘導部が設けられていることを特徴とするものである。
【００１１】
上記本発明のキャップの脱着構造によれば、開栓操作の際に、容器口部のビード部に設けられた誘導部に、内突部が当接することによって、係止部の係止が一部解除され、タンパーエビデンスバンドの一部分が当該ビード部の軸方向上側へ誘導されるため、当該タンパーエビデンスバンドを容器口部から簡単に取り外すことができる。タンパーエビデンスバンドは、解除される部分以外の係止部の係止により、キャップ本体から切り離されるので、キャップを再装着するとき、タンパーエビデンスバンドが邪魔とならず閉栓し易い。さらに、キャップ本体から切り離されたタンパーエビデンスバンドは一体となっているので、当該タンパーエビデンスバンドを分別回収し易い。
【００１２】
前記誘導部として、多様な構成を採用することができ、例えば、前記ビード部における前記係止部が係止される係止面から軸方向下側へ向かって突出する突起部材よりなるものが挙げられる。誘導部をこのような突起部材よりなるものとすることで、当該誘導部を容器口部と一体的に形成することができる。
【００１３】
前記突起部材は、周方向に沿って形成された突起体と、閉栓操作の際に当該突起体を前記係止部の内突部に乗り越えさせる案内部とを有することが好ましい。突起部材に案内部を設けることで、閉栓の際に係止部の内突部が突起体を容易に乗り越えることができ、スムーズな閉栓操作が可能となる。
【００１４】
前記案内部は、内側から外側に向かうに従って閉栓方向へ傾斜する傾斜面を有していることが好ましい。この場合、閉栓操作の際に、突起部材まできた係止部の内突部は、傾斜面に沿って当該突起体に乗り上げ、当該突起部材を乗り越えることができる。
【００１５】
前記突起体における前記内突部が当接する側の端部は、周方向に対して略直交する平面状に形成されていることが好ましい。この場合、開栓方向へ向かう内突部は周方向に対して略直交する平面に当接するため、タンパーエビデンスバンドの一部分を軸方向上側へ効果的に誘導できる。
【００１６】
前記突起体の周方向寸法が、前記内突部の周方向寸法よりも小さいことが好ましい。この場合、複数の内突部が突起体に連続して乗り上がり続けることがなく、キャップのすっぽ抜けを防止できる。
【００１７】
前記突起部材を、周方向小範囲に複数設けることで、前記タンパーエビデンスバンドの一部分を前記ビード部の軸方向上側へ誘導するようにしてもよい。この場合、タンパーエビデンスバンドの一部分をビード部の軸方向上側へ確実に誘導することができる。
【００１８】
前記タンパーエビデンスバンドの係止部として、例えば、当該係止部の内突部が内方へ向けて断面くの字状に折り込まれるように形成されて、周方向に連続した蛇腹状に構成されているものが挙げられる。
【発明の効果】
【００１９】
上記の通り、本発明によれば、開栓操作によって、係止部の係止が一部解除され、タンパーエビデンスバンドの一部分がビード部の軸方向上側へ誘導されるため、タンパーエビデンスバンドを容器口部から簡単に取り外すことができ、かつ当該タンパーエビデンスバンドを分別回収し易く、キャップを再装着するときタンパーエビデンスバンドが邪魔とならない。
【図面の簡単な説明】
【００２０】
【図１】本発明の一実施形態に係るキャップの脱着構造を示す断面図であり、破断線で残されている部分はキャップの一部分側面図である。
【図２】キャップの断面図である。
【図３】容器口部の側面図である。
【図４】図３のＡ−Ａ線断面図である。
【図５】突起部材とその近傍部分を斜め下側から見た斜視図である。
【図６】開栓操作を行っている際の主要部面図と、内突部の移動する方向を説明する矢視Ｃからみた説明図である。
【図７】図６に示す状態から、さらに開栓操作を進めた状態での主要部断面図である。
【図８】タンパーエビデンスバンドの一部分がビード部の軸方向上側へ誘導された状態を示す側面図である。
【図９】誘導部の他の実施形態を示す図３のＡ−Ａ線に対応する断面図である。
【図１０】係止部の他の実施形態を示す図２のＢ−Ｂ線に対応する断面図である。
【発明を実施するための形態】
【００２１】
以下、本発明の実施形態について図面を参照して説明する。図１は、本発明の一実施形態に係るキャップの脱着構造１を示しており、キャップ２を容器３０の容器口部３１に装着した状態の断面図である。図２は、キャップ２の断面図であり、図３は、容器口部３１の側面図である。なお、以下の説明において、図１紙面上下を単に上下といい、キャップ２の径方向内側を単に内側といい、径方向外側を単に外側という。
【００２２】
キャップ２は、コンプレッション成形又はインジェクション成形によって、ポリプロピレンで一体的に成形されたものであり、上部に位置する天板３と、この天板３の外周縁から下方へ向かって延びる側壁部４と、この側壁部４の下端縁に連結されたタンパーエビデンスバンド５とを備えている。なお、キャップ２を形成する素材は、特に限定されるものではなく、本実施形態で用いたポリプロピレンの他、ポリエチレン、ポリ乳酸等が好適に用いられる。天板３及び側壁部４によってキャップ本体１５が構成されており、このうち天板３は、所要寸法を有する円盤状に形成され、当該天板３の内側には、容器３０を密封するためのパッキン２０が設けられている。パッキン２０は天板３の下面３ａに沿う円盤状の板状部２１と、この板状部２１の外周部２１ａから下方へ折れ曲がる環状のサイドシール部２２と、板状部２１の下面２１ｂから下方へ向かって延びる円筒状の中足部２３とを有している。サイドシール部２２は、容器口部３１の上端部３１ａとキャップ２の側壁部４との間に入り込み、中足部２３は、容器口部３１の上端部３１ａの内面ｎへ密着している。これらによる多重のシール構造が、容器口部３１を良好にシールすることで、容器３０の内部の気密性が高く維持される。
【００２３】
キャップ本体１５のうちの側壁部４は、所要寸法を有する円筒状に形成されたものであり、その内周面４ａには、雌ねじ部６が形成されている。なお、雌ねじ部６は、周方向に所定間隔をおいて連続状に設けられた複数の突状部６Ａで構成されており、上下方向へ液状物が通れるようになっている。側壁部４の外周面４ｂには、上下方向に延びるローレット溝７が形成されている。
【００２４】
側壁部４とタンパーエビデンスバンド５との境目部分には、複数のブリッジ８が周方向に沿って所定間隔をおいて形成されている。これらのブリッジ８は、キャップ本体１５とタンパーエビデンスバンド５とを互いに連結しており、所定の力で引っ張られると破断するようになっている。タンパーエビデンスバンド５は、下方へ向かうに従って若干拡径する筒状に形成されている。タンパーエビデンスバンド５の内側には係止部９が位置されており、この係止部９は、当該タンパーエビデンスバンド５の下端部５ａから内側斜め上方へ折り返されるようにして延びている。
【００２５】
係止部９は、所要厚みで周方向に連続するように形成されており、急な角度で内側斜め上方へ延びている壁面部１０と、この壁面部１０から内方へ向けて断面くの字状に折り込まれるようにして形成された内突部１１とで構成されている。内突部１１は、２つの三角片１１ａからなり、２つの三角片１１ａ同士が互いに合わさる稜線部分１１ｂが係止部９のうち最も内側へ傾くように構成されている。上記稜線部分１１ｂと、各三角片１１ａと壁面部１０の境界線部分１１ｃとが、内突部１１の下端１１ｄで交わることで、下方に向かうに従って窄まる逆三角錐状の空間１２が形成されている。このように構成された係止部９は、全体として周方向に連続した蛇腹状で、内方、外方及び下方へ弾性変形可能となっている。
【００２６】
キャップ２が装着された容器口部３１は、上端から下端まで略同径に形成された円筒状の本体部３２と、この本体部３２の外周面に形成された雄ねじ部３３と、この雄ねじ部３３の下側で拡径された環状のビード部３４と、このビード部３４の下側で当該ビード部３４よりも大きく拡径されたサポートリング（ネックリング）３５とを備えている。ビード部３４は、下側に位置するビード体３６と、このビード体３６の上側に位置し、上方に向かうに従って縮径する縮径部分３７とからなる。ビード体３６の環状の下面は、キャップ２の係止部９の上端９ａが係止する係止面３６ａとなっている。同係止部９は、キャップ２が容器口部３１に装着された状態でビード部３４の略下側へ位置され、開栓操作によって当該係止部９の上端９ａがビード体３６の係止面３６ａへ係止される（図１参照）。
【００２７】
図４は、図３のＡ−Ａ線断面図である。ビード体３６の係止面３６ａには、タンパーエビデンスバンド５の一部分５ｂをビード部３４の軸方向上側へ誘導する誘導部４０が設けられている。この誘導部４０は、係止面３６ａから軸方向下側へ向かって突出する１つの突起部材４１よりなる。図５は、突起部材４１とその近傍部分を斜め下側から見た斜視図である。なお、突起部材４１に関する以下の説明において、突起部材４１の図５に示す右側を右側といい、その反対側を左側という。
【００２８】
突起部材４１は、容器口部３１の外周面３１ｂにおいてビード部３４と一体的に成形されたものであり、周方向に沿って形成された突起体４２と、この突起体４２の右側に当該突起体４２と一体に形成された案内部４３とで構成されている。突起体４２は、直方体をなしており、当該突起体４２の左側の端面４２ａは、周方向に対して略直交する平面状に形成されている。なお、突起体４２の周方向寸法ｓ１は、係止部９の内突部１１の周方向寸法ｄ（図２参照）よりも小さい１．６〜３．３ｍｍが好ましく、軸方向寸法ｓ２は、１．０〜１．６ｍｍが好ましく、径方向寸法ｓ３は、１．０ｍｍ以上が好ましい。
【００２９】
案内部４３は、横断面三角状に形成されており、内側から外側に向かうに従って左側方向（閉栓方向）へ傾斜する平面状の傾斜面４４を有している。なお、案内部４３の傾斜面４４の長手方向寸法ｎ１は、１．６ｍｍ以上が好ましく、軸方向寸法は、突起体４２の軸方向寸法ｓ２と同じであり、傾斜面の傾斜角度θは、４０°以下が好ましい。
【００３０】
次に、閉栓操作によってキャップ２が容器口部３１に装着されるときと、開栓操作によってキャップ本体１５がタンパーエビデンスバンド５から切り離され、容器口部３１から取り外されるときの各部の働きについて説明する。
【００３１】
（閉栓操作）
キャップ２が閉栓方向に回されると、双方のねじ部６、３３によって当該キャップ２が沈み込んでいき、それと共に係止部９がその下側から上側へと弾性的に変形しながら容器口部３１の雄ねじ部３３及びビード部３４を乗り越える。係止部９がビード部３４を乗り越える際には、当該係止部９は当該ビード部３４の縮径部分３７に案内されて、当該ビード部３４をスムーズに乗り越える。係止部９は、ビード部３４を乗り越えた段階で弾性的に元の形状に復帰する。キャップ２が閉栓方向にさらに回され、係止部９がビード部３４の下側に嵌り込んでいくとき、係止部９の内突部１１が突起部材４１に周方向から当接される。その際、内突部１１は、案内部４３の傾斜面４４に沿って閉栓方向へ案内され、突起体４２を乗り越える。これにより、閉栓操作をスムーズに行うことができる。そして、キャップ２が閉栓方向にさらに回され、双方のねじ部６、３３が互いに螺合されると、キャップ２の装着が完了する。
【００３２】
（開栓操作）
図６は、開栓操作を行っている際の主要部面図と、内突部１１の移動する方向を説明する矢視Ｃからみた説明図であり、図７は、図６に示す状態から、さらに開栓操作を進めた状態での主要部断面図であり、図８は、タンパーエビデンスバンド５の一部分５ｂがビード部３４の上側へ誘導された状態を示す側面図である。キャップ２が開栓方向に回され始めると、当該キャップ２が上方へ上がり始め、係止部９に設けられた複数の内突部１１のうち突起部材４１の近傍に位置する内突部１１Ｅが、周方向から突起部材４１の突起体４２に当接する。その内突部１１Ｅの傾斜した三角片１１ａが、突起体４２の端面４２ａに当接すると、キャップ２が上方へ上げられる力によって、当該内突部１１Ｅが突起体４２に乗り上がり、当該内突部１１Ｅが係止面３６ａから外れ始める（図６参照）。その際、内突部１１Ｅが移動する方向は、容器口部３１に対してキャップ本体１５が進む方向と同じ斜め方向Ｎである。さらに、キャップ２が開栓方向に回されていくと、その内突部１１Ｅが、突起体４２の外周面４２ｂに乗り上がり（図７の内突部１１Ｅの想像線参照）、続いて、ビード体３６の外周面３６ｂにまで乗り上がる（図７参照）。外周面３６ｂまで乗り上がった内突部１１Ｅはさらに上方へ上がり、開栓終了時までにはビード部３４を超えたところまで引き上げられる。
【００３３】
突起部材４１の近傍に位置する内突部１１Ｅが上記のような挙動をとることで、当該内突部１１Ｅに続いて突起部材４１に近づく他の１個〜数個の内突部１１が、当該突起部材４１に当接してビード体３６の外周面３６ｂに乗り上がり、ビード部３４を超えたところまで引き上げられるか、或いは当該突起部材４１に殆ど当接せずに上記内突部１１Ｅと一緒にビード部３４を超えたところまで引き上げられる。その結果、環状の係止部９の係止が一部解除され、タンパーエビデンスバンド５における係止が解除された一部分５ｂが、キャップ本体１５と一緒に上方へ引き上げられて、ビード部３４の上側へ誘導される（図８参照）。特に、内突部１１Ｅが当接する突起体４２の端面４２ａは、周方向に対して略直交する平面状に形成されているため、タンパーエビデンスバンド５の一部分５ｂを軸方向上側へ効果的に誘導できる。一方、複数の内突部１１のうち、開栓操作の開始時点で突起部材４１から遠ざかる内突部１１や、開栓操作が完了するまで突起部材４１の近くまでこない内突部１１は、ビード部３４に当接されたままとなり、それら内突部１１に対応する係止部９の係止は解除されない。
【００３４】
係止が解除されない複数の内突部１１に対応する複数のブリッジ８には、引張力が作用し、当該複数のブリッジ８は、開栓操作と共に破断される。また、係止が解除される複数の内突部１１のうち、開栓操作が開始されても直ぐには係止面３４ａから外れない内突部１１に対応する複数のブリッジ８にも、引張力が作用し、それらのブリッジ８は破断する。なお、突起体４２の周方向寸法ｓ１が内突部１１の周方向寸法ｄよりも小さいため、複数の内突部１１が突起体４２に連続して乗り上がり続けることがない。これにより、キャップ２のすっぽ抜けを防止できる。図６及び図７で図示した内突部１１Ｅに対応するブリッジ８は、破断されないか、或いはキャップ２を回す際に引っ張られることによって破断される。破断されないブリッジ８の数は、手で簡単にちぎり取れる範囲の数であり、１個〜数個である。このようにして、キャップ本体１５が容器口部３１から脱着され、開栓操作が完了する。
【００３５】
以上、説明したように、開栓操作が行われると誘導部４０である突起部材４１によって、係止部９の係止が一部解除させられ、タンパーエビデンスバンド５の一部分５ｂがビード部５４の上側へ誘導される。キャップ本体１５とタンパーエビデンスバンド５とを連結する複数のブリッジ８に関しては、全てのブリッジ８が破断されるか、或いは手で簡単にちぎり取れる範囲の数のブリッジ８が残る。タンパーエビデンスバンド５は、キャップ本体１５に付いて脱着されるか、或いはキャップ本体１５から切り離されて容器口部３１に残る。タンパーエビデンスバンド５がキャップ本体１５に付いて脱着される場合、使用者は、キャップ本体１５からタンパーエビデンスバンド５を手で引きちぎればよい。タンパーエビデンスバンド５が、キャップ本体１５から切り離されて容器口部３１に残る場合、使用者は、タンパーエビデンスバンド５を掴んで容器口部３１から取り外せばよい。
【００３６】
誘導部４０である突起部材４１は、本実施形態ではビード体３６の係止面３６ａの周上に１つだけ設けられたが、タンパーエビデンスバンド５の一部分５ｂをビード部３４の上側へ誘導可能な周方向小範囲に複数設けられているようにしてもよい。具体的には、図９に示す他の実施形態が挙げられる。この実施形態では、ビード体３６の係止面３６ａに、互いに隣接する突起部材４５が２つ設けられている。このような構成とすることで、これらの突起部材４５へ来る内突部１１が確実に係止面３６ａから外され、タンパーエビデンスバンド５の一部分５ｂをビード部３４の上側へ確実に誘導することができる。
【００３７】
突起部材４１を複数設ける場合、タンパーエビデンスバンド５の一部分５ｂを誘導可能な周方向小範囲に設けることが重要である。仮に、突起部材４１がビード体３６の係止面３６ａの周上に３０°間隔で１２個、６０°間隔で６個、９０°間隔で４個等のように分散して設けられていれば、係止部の内突部は係止面からは外れず、従って、タンパーエビデンスバンドは、上方へは誘導されない。本発明のように、突起部材４１が１つ、或いは周方向小範囲に複数設けられていれば、タンパーエビデンスバンド５が斜めに引き上げられて脱着され得るが、突起部材が上記のように分散して複数設けられていれば、タンパーエビデンスバンドは水平を保ったまま上昇しようとするため、複数の内突部が係止面から外れず、結果としてタンパーエビデンスバンドはビード部を超えることはできない。
【００３８】
上記本実施形態のキャップ２の脱着構造によれば、開栓操作の際に、容器口部３１のビード部３４に設けられた誘導部４０に内突部１１が当接することによって、係止部９の係止が一部解除され、タンパーエビデンスバンド５の一部分５ｂが当該ビード部３４の上側へ誘導されるため、当該タンパーエビデンスバンド５を簡単に取り外すことができる。タンパーエビデンスバンド５は、解除される部分以外の係止部９の係止により、キャップ本体１５から切り離されるか、手で引きちぎられるので、キャップ２を再装着するとき、タンパーエビデンスバンド５が邪魔とならず閉栓し易くすることができる。さらに、キャップ本体１５から切り離されたタンパーエビデンスバンド５は一体となっているので、当該タンパーエビデンスバンド５を分別回収し易い。
【００３９】
上記で開示した本実施形態のキャップの脱着構造は、本発明に係るキャップの脱着構造の一例を示したものであり、当該脱着構造に適用されるキャップ及び容器はどのようなものでもよい。突起体の各部の寸法、案内部の各部の寸法、傾斜角度、傾斜面の形状、係止部の形状、寸法、その他の部位の形状、寸法等は、上述した効果を奏しうるものであれば限定されるものではない。例えば、本実施形態では、突起部材の案内部の傾斜面を平面状としているが、当該傾斜面を湾曲状としてもよい。係止部の別の形態として、図１０（ａ）及び図１０（ｂ）に示すものが挙げられる。図１０（ａ）に示す係止部６０の内突部６１は、壁面部６２に直交する両側の側縁６３、及びこれら側縁６３を繋ぐ前縁６４により平面視長方形状に屈曲させて形成されたものである。図１０（ｂ）に示す係止部７０の内突部７１は、壁面部７２に直交する側縁７３、及びこの側縁７３から壁面部７２に繋がる傾斜縁７４により平面視三角形状に屈曲させて形成されたものである。本発明に係るキャップの脱着構造は、このような係止部６０、７０の形状にも適用することが可能である。なお、本発明の範囲は、特許請求の範囲によって示され、特許請求の範囲と均等の意味及び範囲内の全ての変更が含まれる。
【符号の説明】
【００４０】
１    キャップの脱着構造
２    キャップ
３    天板
４    側壁部
５    タンパーエビデンスバンド
５ｂ  タンパーエビデンスバンドの一部分
８    ブリッジ
９    係止部
１０  壁面部
１１  内突部
１１Ｅ  近傍の内突部
１５  キャップ本体
３０  容器
３１  容器口部
３４  ビード部
３６  ビード体
３６ａ  係止面
４０  誘導部
４１  突起部材
４２  突起体
４３  案内部
４４  傾斜面
４５  突起部材
６０  係止部
７０  係止部
【図１】
0005411751.tif 000002
【図２】
0005411751.tif 000003
【図３】
0005411751.tif 000004
【図４】
0005411751.tif 000005
【図５】
0005411751.tif 000006
【図６】
0005411751.tif 000007
【図７】
0005411751.tif 000008
【図８】
0005411751.tif 000009
【図９】
0005411751.tif 000010
【図１０】
0005411751.tif 000011